(57)【要約】【課題】本発明は、生体情報測定装置に関するもので、適切な測定実施を目的とする。【解決手段】この目的を達成するために、制御部７は、測定モードと、機器動作モードの内、少なくとも前記測定モード中においてＲＡＭ１０（第２の記憶部）に対する確認処理を実行させ、この記憶部確認処理は、ＲＡＭ１０（第２の記憶部）に対して、一回の記憶部確認で一個の分割領域の異常有無確認を行うとともに、測定モード中には全ての分割領域の異常有無確認を行う構成とした。【選択図】図２
2013250221.tif 000002
【特許請求の範囲】
【請求項１】
センサ装着部を有する本体ケースと、前記センサ装着部に接続された測定部と、この測定部に接続された制御部と、前記制御部に接続され、この制御部の制御手順および前記測定部の測定手順を記憶した第１の記憶部と、前記制御部に接続され前記測定部の測定動作実行時に活用される第２の記憶部と、この第２の記憶部の異常有無確認に活用される第３の記憶部と、前記制御部に接続された表示部と、を備え、
前記第２の記憶部は、複数個の分割領域を有し、
前記制御部は、第１の記憶部に記憶された制御手順および測定手順に従って、機器動作モードと、測定モードと、記憶部確認処理とを適宜実行する構成とし、
測定モード実行時には、前記制御部により測定部で測定動作を行い、
前記機器動作モード実行時には、前記制御部により測定動作外の機器動作を行い、
前記記憶部確認処理は、前記測定モードと、前記機器動作モードの内、少なくとも前記測定モード中において前記第２の記憶部に対する確認処理を実行させ、
この記憶部確認処理は、前記第２の記憶部に対して、一回の記憶部確認で一個の分割領域の異常有無確認を行うとともに、測定モード中には全ての分割領域の異常有無確認を行う構成とした生体情報測定装置。
【請求項２】
制御部は、測定モードよりも前の機器動作モードにおいて、測定モード中における異常有無確認の準備作業を実行させる構成とした請求項１に記載の生体情報測定装置。
【請求項３】
制御部は、測定モード中における異常有無確認準備作業の実行のために、この制御部に接続したタイマを起動させる構成とした請求項２に記載の生体情報測定装置。
【発明の詳細な説明】
【技術分野】
【０００１】
本発明は、たとえば血液中から血糖値のような生体情報を測定する生体情報測定装置に関するものである。
【背景技術】
【０００２】
従来のこの種、生体情報測定装置は、センサ装着部を有する本体ケースと、前記センサ装着部に接続された測定部と、この測定部に接続された制御部と、この制御部に接続され、この制御部の制御手順および前記測定部の測定手順を記憶した第１の記憶部と、前記制御部に接続され前記測定部の測定動作実行時に活用される第２の記憶部と、前記制御部に接続された表示部を備えていた（例えば、下記特許文献１）。
【０００３】
そして、生体情報測定装置の起動時に第２の記憶部の動作確認を行い、第２の記憶部における異常有無を判定した後、測定を行い、その測定値を表示部に表示するようになっていた。
【先行技術文献】
【特許文献】
【０００４】
【特許文献１】特開２００２−３５７６０２号公報
【発明の概要】
【発明が解決しようとする課題】
【０００５】
従来例においては、生体情報測定装置の起動時に第２の記憶部の異常有無を確認する構成となっており、この確認により前回の測定時などに、たとえば測定中の予期せぬ静電気などにより第２の記憶部に異常が発生してしまっていることは確認することができる。
【０００６】
しかしながら、起動後の測定モード実行時に、たとえば測定中の予期せぬ静電気によって第２の記憶部に異常が発生してしまったことは確認することができない。
【０００７】
この第２の記憶部は、上述のごとく測定部の測定作業実行時に活用されるものであるため、結論として、適切な測定を行うことができなくなる。
【０００８】
そこで本発明は、適切な測定が実施できるようにすることを目的とする。
【課題を解決するための手段】
【０００９】
この目的を達成するために本発明は、センサ装着部を有する本体ケースと、前記センサ装着部に接続された測定部と、この測定部に接続された制御部と、前記制御部に接続され、この制御部の制御手順および前記測定部の測定手順を記憶した第１の記憶部と、前記制御部に接続され前記測定部の測定動作実行時に活用される第２の記憶部と、この第２の記憶部の異常有無確認に活用される第３の記憶部と、前記制御部に接続された表示部と、を備え、前記第２の記憶部は、複数個の分割領域を有し、前記制御部は、第１の記憶部に記憶された制御手順および測定手順に従って、機器動作モードと、測定モードと、記憶部確認処理とを適宜実行する構成とし、測定モード実行時には、前記制御部により測定部で測定動作を行い、前記機器動作モード実行時には、前記制御部により測定動作外の機器動作を行い、前記記憶部確認処理は、前記測定モードと、前記機器動作モードの内、少なくとも前記測定モード中において前記第２の記憶部に対する確認処理を実行させ、この記憶部確認処理は、前記第２の記憶部に対して、一回の記憶部確認で一個の分割領域の異常有無確認を行うとともに、測定モード中には全ての分割領域の異常有無確認を行う構成とし、これにより所期の目的を達成するものである。
【発明の効果】
【００１０】
以上のように本発明は、センサ装着部を有する本体ケースと、前記センサ装着部に接続された測定部と、この測定部に接続された制御部と、前記制御部に接続され、この制御部の制御手順および前記測定部の測定手順を記憶した第１の記憶部と、前記制御部に接続され前記測定部の測定動作実行時に活用される第２の記憶部と、この第２の記憶部の異常有無確認に活用される第３の記憶部と、前記制御部に接続された表示部と、を備え、前記第２の記憶部は、複数個の分割領域を有し、前記制御部は、第１の記憶部に記憶された制御手順および測定手順に従って、機器動作モードと、測定モードと、記憶部確認処理とを適宜実行する構成とし、測定モード実行時には、前記制御部により測定部で測定動作を行い、前記機器動作モード実行時には、前記制御部により測定動作外の機器動作を行い、前記記憶部確認処理は、前記測定モードと、前記機器動作モードの内、少なくとも前記測定モード中において前記第２の記憶部に対する確認処理を実行させ、この記憶部確認処理は、前記第２の記憶部に対して、一回の記憶部確認で一個の分割領域の異常有無確認を行うとともに、測定モード中には全ての分割領域の異常有無確認を行う構成としたので、適切な測定が実施できるようにすることができる。
【００１１】
すなわち、本発明において、測定モードと、前記機器動作モードの内、少なくとも前記測定モード中において前記第２の記憶部に対する確認処理を実行させ、この記憶部確認処理は、前記第２の記憶部に対して、一回の記憶部確認で一個の分割領域の異常有無確認を行うとともに、測定モード中には全ての分割領域の異常有無確認を行う構成としたので、測定モード中における測定部の測定動作実行時に活用される第２の記憶部の異常有無確認を行うことができ、その結果として、適切な測定が実施できるようにすることができるのである。
【図面の簡単な説明】
【００１２】
【図１】本発明の一実施形態に係る生体情報測定装置の斜視図
【図２】同、生体情報測定装置のブロック図
【図３】同、第２の記憶部の動作確認を説明するための図
【図４】同、生体情報測定装置の器の動作フローチャート
【図５】同、生体情報測定装置の器の動作フローチャート
【図６】同、生体情報測定装置の器の動作フローチャート
【図７】同、生体情報測定装置の器の動作フローチャート
【発明を実施するための形態】
【００１３】
以下、本発明の一実施形態を、添付図面を用いて説明する。
【００１４】
（実施の形態１）
図１において１は、血液中から血糖値を測定する測定器（生体情報測定装置の一例）の本体ケースである。本体ケース１は、ほぼ長方形状に形成され、その一端側には、血糖値センサ（生体情報測定センサの一例）２を挿入するセンサ装着部３が設けられている。また本体ケース１の外表面には、他端側に表示部４、一端側に電源スイッチ５が設けられている。
【００１５】
本体ケース１の内部には、図２に示すごとく、センサ装着部３に電気的に接続された測定部６と、この測定部６に接続された制御部７が配置されている。この制御部７には、表示部４、電源スイッチ５、電池８が接続されている。
【００１６】
また、制御部７内には、この制御部７の制御プログラムが記録されたＲＯＭ（第１の記憶部）９が接続されている。このＲＯＭ９には、制御部７の制御手順や測定部６の測定手順が記憶されており、制御部の７制御動作実行時および測定動作実行時に活用される。このＲＯＭ９は、読み出し専用の記憶部である。
【００１７】
また、制御部７には、制御部７による作業の一時的な記憶部として、ＲＡＭ（第２の記憶部）１０が接続されている。このＲＡＭ１０は、測定部６による測定作業にも用いられる。このＲＡＭ１０は、読み書き可能な記憶部である。
【００１８】
さらに制御部７には、このＲＡＭ（第２の記憶部）１０の異常有無確認に活用されるＲＡＭ確認用記憶部（第３の記憶部）１１が設けられている。このＲＡＭ確認用記憶部１１は、読み書き可能な記憶部である。
【００１９】
また、制御部には、タイマ１２が接続されている。
【００２０】
本実施形態においては、測定作業に用いられるＲＡＭ１０に対して、その異常有無の確認を、測定器の使用中に繰り返し行う構成としている。
【００２１】
このＲＡＭ１０の異常有無確認について説明する。
【００２２】
制御部７は、ＲＡＭ１０の異常有無確認を行う記憶部確認処理を有している。この記憶部確認処理の手順は、あらかじめＲＯＭ９に記憶されている。
【００２３】
この記憶部確認処理は、たとえば、制御部７が有する割り込み機能によって行われる。より具体的には、制御部７がタイマ１２を起動すると、このタイマ１２から制御部７に対して定期的に割り込み通知が発生する。この割り込み通知を利用して、制御部７が記憶部確認処理でＲＡＭ１０の異常有無確認を行う。
【００２４】
図３は、ＲＯＭ９、ＲＡＭ１０、ＲＡＭ確認用記憶部１１の使用状態を説明するための図である。
【００２５】
ＲＡＭ１０は、全領域（Ａ１〜ＡＮ）を、所定の大きさ（たとえば３２バイト）で、擬似的に複数個の領域、具体的にはＭ１、Ｍ２、・・・ＭＴまでの領域に分割している。
【００２６】
制御部７は、この分割された領域に対して、記憶部確認処理により、Ｍ１、Ｍ２、・・・ＭＴの順に、異常有無確認を行っていく。
【００２７】
この記憶部確認処理は、所定の間隔（たとえば１０ｍｓ）で定期的に行う。１回の記憶部確認処理では、１個の分割領域の異常有無確認を行う構成とし、１回の記憶部確認処理にかかる時間を小さくしている。このため、他の処理（たとえば電源スイッチ５の検出処理など）への影響を小さくすることができる。
【００２８】
この記憶部確認処理で重要なことは、ＲＡＭ１０のデータを破壊することなく、ＲＡＭ１０の異常有無確認を行うことである。つまり、本実施形態の記憶部確認処理は、測定器の動作中に行われるので、すでにＲＡＭ１０には各種処理用のデータが記憶されている。このデータを破壊してしまうと、当然のことながら測定器が正常に動作できなくなるのである。
【００２９】
ＲＡＭ１０の異常有無確認を実施するための制御部７の記憶部確認処理動作を、図４の動作フローチャートを用いて説明する。
【００３０】
以下の記憶部確認処理の説明は、測定器が起動した直後、つまり第１回目の記憶部確認処理を例にとって行う。なお、測定器が起動した直後に、制御部７は、図３のＲＡＭ確認用記憶部１１のチェックアドレス記憶領域Ｒ３に、ＲＡＭ１０先頭の位置Ａ１のアドレスを予め書き込んでいる。
【００３１】
制御部７は、タイマ１２により割り込み通知されると、ＲＡＭ１０の部分的な故障チェック（ＲＡＭ１０の分割領域の異常有無確認）を開始する（図４のＳ１）。
【００３２】
この異常有無確認は、ＲＡＭ確認用記憶部１１のチェックアドレス記憶領域Ｒ３に書き込まれたアドレスから、ＲＯＭ９に予め記憶された検査サイズＳ（たとえば３２バイト）分の領域に対して行う。第１回目の記憶部確認処理では、Ａ１〜ＡＳまでの領域Ｍ１で異常有無確認を行う。
【００３３】
次に、制御部７は、割り込み処理の排他制御（他の処理の実行禁止）を行い、この記憶部確認処理以外の処理を禁止する。これにより、他の処理がＲＡＭ１０を使用するのを防止する（図４のＳ２）。
【００３４】
制御部７は、チェック対象のＲＡＭ１０（今回は領域Ｍ１のＡ１）のデータを、ＲＡＭ確認用記憶部１１のデータ待避用領域Ｒ２に一時的に待避させる（図４のＳ３）。
【００３５】
次に、このチェック対象のＲＡＭ１０（領域Ｍ１のＡ１）のデータに、ＲＯＭ９に予め記憶されている固定値Ｃを書き込んだ後（図４のＳ４）、この書き込んだ値をＲＡＭ確認用記憶部１１の比較処理用データ領域Ｒ１に読み出す（図４のＳ５）。
【００３６】
制御部７は、この比較処理用データ領域Ｒ１に読み出した値と、ＲＯＭ９の固定値Ｃを比較して、同一か否かを確認する（図４のＳ６）。
【００３７】
比較処理用データ領域Ｒ１に読み出した値が、固定値Ｃで同一である時には、領域Ｍ１のＡ１は、正常に読み書きできたので、ＲＡＭ確認用記憶部１１のデータ待避用領域Ｒ２に待避させていた領域Ｍ１のＡ１の元データを、領域Ｍ１のＡ１に書き込む（値を元に戻す）。これで、領域Ｍ１のＡ１は、異常有無確認を行う前の状態に戻る（図４のＳ７）。
【００３８】
以上のＳ３〜Ｓ７の処理により、領域Ｍ１のＡ１の元データを破壊することなく、領域Ｍ１のＡ１の異常有無確認ができる。
【００３９】
すなわち、ＲＡＭ１０のデータを一時的にＲＡＭ確認用記憶部１１に待避させ、ＲＡＭ１０の書き読みで、異常有無確認を行った後、ＲＡＭ確認用記憶部１１に待避させたデータを元に戻すことにより、測定器の動作中においてもＲＡＭ１０の確認ができるものとしている。
【００４０】
説明を続ける。
【００４１】
制御部７は、チェックアドレス記憶領域Ｒ３の値をインクリメントし、チェック対象のアドレス（次に異常有無確認を行う場所）を指定する。次に異常有無確認を行う場所は、領域Ｍ１のＡ２となる（図４のＳ８）。
【００４２】
次に、次のチェック対象のアドレス（次に異常有無確認を行う場所）が、ＲＡＭ１０の末尾アドレス（ＡＮのアドレス）以下であることを確認する。これにより、ＲＡＭ１０の全ての領域での異常有無確認が終了したか否かを確認する。
【００４３】
なお、ＲＡＭ１０の末尾アドレスは、ＲＡＭ１０先頭位置Ａ１と、ＲＯＭ９に予め記憶されたＲＡＭサイズＮから算出される（図４のＳ９）。
【００４４】
次のチェック対象のアドレスが、ＲＡＭ１０の末尾アドレス（ＡＮのアドレス）以下のときは、部分的な故障チェックが完了した領域のサイズ（たとえば、今回はＡ１を確認したので、サイズは１となる）が、検査サイズＳと同じであるか否かを確認する。これにより、領域Ｍ１の異常有無確認が終了したか否かを確認する（図４のＳ１０）。
【００４５】
まだ領域Ｍ１の異常有無確認が終了していない時には、図４のＳ３に戻って、次のチェック対象のアドレス（具体的には、領域Ｍ１のＡ２）に対して異常有無確認を行う。
【００４６】
なお、図４のＳ９で、次のチェック対象のアドレスが、ＲＡＭ１０の末尾アドレス（ＡＮのアドレス）を超えた時には、次のチェック対象のアドレスをＲＡＭ１０の先頭アドレス（Ａ１のアドレス）とし（図４のＳ１１）、図４のＳ１０の確認を行う。
【００４７】
領域Ｍ１、つまりＡ１からＡＳの異常有無確認が終了すると、制御部７は、割り込み処理の排他制御（他の処理の実行許可）を解除する（図４のＳ１２）。
【００４８】
そしてＲＡＭ１０の部分的な故障チェック（分割領域の異常有無確認）を終了する（図４のＳ１３）。
【００４９】
なお、図４のＳ６で、比較処理用データ領域Ｒ１に読み出した値が、固定値Ｃでない時には、ＲＡＭ１０に異常があるので、制御部７は表示部４にエラー表示を行い（図４のＳ１４）、図４のＳ１３に処理を移して、記憶部確認処理を終了する。
【００５０】
以上説明したごとく、１回の記憶部確認処理では、１個の分割領域（たとえば領域Ｍ１）の異常有無確認を行うこととなる。そして、次の記憶部確認処理では、図３のＭ２領域の異常有無確認を行う。そして、Ｍ１、Ｍ２、・・・ＭＴの順に、分割領域の異常有無確認を行う。
【００５１】
そして、ＲＡＭ１０において全ての分割領域（領域Ｍ１〜ＭＴ）の異常有無確認が終了した後は、再び全ての分割領域での異常有無確認を繰り返し行うのである。
【００５２】
以上説明したＲＡＭ１０の異常有無確認は、測定器の使用中に繰り返し行う。
【００５３】
測定器の動作を、図５の動作フローチャートを用いて、具体的に説明する。
【００５４】
まず、使用者が、図１の電源スイッチ５を押して測定器をＯＮ状態にすると、制御部７が、機器動作モードとなり、測定器の動作を制御していく。
【００５５】
制御部７は、機器動作モードと、測定モードと有している。機器動作モードでは、測定部６の血糖値測定のための準備、表示部４の表示などの各種動作制御を行い、測定モードでは、測定部６が血糖値の測定を行う。なお、この図５は、機器動作モードの説明を行うための図である（図５のＳ１）。
【００５６】
次に制御部７は、ＲＡＭ１０の全面故障チェックを行う。この全面故障チェックは、従来の方法で行うため詳細な説明は割愛するが、ＲＡＭ１０の全領域に対して所定の値（たとえば、１６進数で０ｘＦＦ）の書き込みと読み出しを行い、所定の値が変化していないかどうか確認する（図５のＳ２）。
【００５７】
その後、制御部７内のＲＡＭ確認用記憶部１１の初期化を行う。このＲＡＭ確認用記憶部１１は読み書き可能な記憶部で、制御部７が測定器の動作を制御するための処理（たとえばタイマ処理など）の一時的な変数が記憶される。ここでは、適切に所定の値が書き込まれて初期化される。
【００５８】
このＲＡＭ確認用記憶部１１には、図３に示すごとく、ＲＡＭ１０の異常有無確認に使用する領域、具体的には比較処理用データ領域Ｒ１、データ待避用領域Ｒ２、チェックアドレス記憶領域Ｒ３が設けられている。そして、チェックアドレス記憶領域Ｒ３に、ＲＡＭ１０先頭のＡ１のアドレスが書き込まれる（図５のＳ３）。
【００５９】
次に制御部７は、ＲＡＭ１０の異常有無確認を行うために、図２のＲＡＭ故障チェック用のタイマ１２をスタートさせる（図５のＳ４）。
【００６０】
これ以降、このタイマ１２から制御部７に対して定期的に割り込み通知が発生する。この割り込み通知を利用して、制御部７は、記憶部確認処理によりＲＡＭ１０の異常有無確認を行う。具体的には、図６に示すごとく、制御部７は、タイマ１２から割り込み通知されると、タイマの定期的処理を開始（図６のＳ１）する。
【００６１】
そして上述したＲＡＭ１０の部分的な故障チェック（ＲＡＭ１０の異常有無確認）、つまり記憶部確認処理を行う（図６のＳ２）。
【００６２】
なお、この図６のＳ２の記憶部確認処理は、上述した図４のＳ１〜Ｓ１３の処理である。
【００６３】
記憶部確認処理が終了すると、タイマの定期的処理が終了する（図６のＳ３）。
【００６４】
図５に戻って説明を続ける。
【００６５】
以上の図５のＳ１〜Ｓ４により、測定部６の測定準備が完了する。
【００６６】
その後、制御部７は、測定モードに入る条件が成立したか否かの確認を行う。具体的には、センサ装着部３に血糖値センサ２が挿入されているか否かの確認を行う（図５のＳ５）。
【００６７】
センサ装着部３に血糖値センサ２が挿入されている時には、図７に示す測定処理を行う（図５のＳ６）。
【００６８】
この測定処理について、図７を用いて説明する。
【００６９】
測定処理では、まず、制御部７が、機器動作モードから測定モードになる。この図７は、測定モードを説明するための図である（図７のＳ１）。
【００７０】
この測定モードでは、まず、測定部６が、図１の血糖値センサ２の点着部１４に血液が点着されたか否かの確認を行う。具体的には、点着部１４に血液が点着された時には、図１の電極１３を構成する所定の端子が通電されるので、この通電の有無により、測定部６が血液の点着状態を確認する（図７のＳ２、Ｓ３）。
【００７１】
血糖値センサ２の点着部１４に血液が点着されると、測定部６によって測定が開始され、測定された血糖値が制御部７に通知される（図７のＳ４）。
【００７２】
制御部７は、血糖値を表示部４に表示して（図７のＳ５）、測定モードを終了し、再び機器動作モードとなり、図５のＳ７の処理へと進む（図７のＳ６）。
【００７３】
図５に戻って説明を続ける。
【００７４】
使用者は、表示部４に表示された血糖値を確認した後、センサ装着部３から血糖値センサ２を取り外す。
【００７５】
図５のＳ７においては、測定器をＯＦＦする条件が成立したか否かの確認を行う。具体的には、図１の電源スイッチ５が押されたか否かの確認を行う。まだ電源スイッチ５が押されて無い時には、図５のＳ５に処理を戻す。すると、今回は、使用者によりセンサ装着部３から血糖値センサ２が取り外されているので、制御部７は、測定モード以外の各種処理、たとえば、使用者の指示による血糖値の履歴表示処理や測定器の設定処理などを行う（図５のＳ８）。
【００７６】
つまり、センサ装着部３から血糖値センサ２が取り外されている時には、図５のＳ５、Ｓ８、Ｓ７が繰り返し行われる。
【００７７】
使用者が、電源スイッチ５が押すと、制御部７は、この電源スイッチ５の動作を図５のＳ７で確認し、図２のＲＡＭ故障チェック用のタイマ１２をストップする。これ以降、このタイマ１２からの割り込み通知は発生せず、本実施形態におけるＲＡＭ１０の異常有無確認が終了する（図５のＳ９）。
【００７８】
その後、制御部７はスリープモードとなり測定器はオフ状態となる（図５のＳ１０）。
【００７９】
以上説明したごとく、本実施形態においては、制御部７は、機器動作モードと、測定モードと、記憶部確認処理を有し、機器動作モードおよび測定モードの間、定期的にＲＡＭ１０に対して記憶部確認処理を繰り返し行う。つまり、少なくとも測定モード実行時には、ＲＡＭ１０に対する記憶部確認処理を必ず実行するので、この測定モード実行時におけるＲＡＭ１０の状態を確認し、適切な測定を行うことができるのである。
【００８０】
その結果として、動作確認されたＲＡＭ１０を用いて測定を行うことができるので、適切な測定が実施できるものとなる。
【００８１】
さらに本実施形態においては、全ての分割領域（図３のＭ１〜ＭＴ）の異常有無確認にかかる時間を、測定モードが実施される時間よりも短くした。
【００８２】
より具体的には、ＲＡＭ１０の全領域の異常有無確認にかかる時間を、図７のＳ２における血液の点着確認を行ってから、図７のＳ５における測定結果を表示するまでの時間よりも短くした（たとえば、７秒）。
【００８３】
このため、測定モードの間で、表示部４に測定結果を表示させる前に、少なくとも１回は、ＲＡＭ１０の全領域の異常有無確認が行われることとなる。
【００８４】
したがって、動作確認されたＲＡＭ１０を用いて測定を行うことができ、その結果を表示部４に表示させることができる。
【００８５】
以上のごとく、本実施形態においては、測定モードと、前記機器動作モードの内、少なくとも前記測定モード中において前記ＲＡＭ１０（第２の記憶部）に対する確認処理を実行させ、この記憶部確認処理は、前記ＲＡＭ１０（第２の記憶部）に対して、一回の記憶部確認で一個の分割領域の異常有無確認を行うとともに、測定モード中には全ての分割領域の異常有無確認を行う構成としたので、測定モード中における測定部の測定動作実行時に活用されるＲＡＭ１０（第２の記憶部）の異常有無確認を行うことができ、その結果として、適切な測定が実施できるようにすることができるのである。
【産業上の利用可能性】
【００８６】
以上のように本発明においては、測定モードと、前記機器動作モードの内、少なくとも前記測定モード中において前記第２の記憶部に対する確認処理を実行させ、この記憶部確認処理は、前記第２の記憶部に対して、一回の記憶部確認で一個の分割領域の異常有無確認を行うとともに、測定モード中には全ての分割領域の異常有無確認を行う構成としたので、測定モード中における測定部の測定動作実行時に活用される第２の記憶部の異常有無確認を行うことができ、その結果として、適切な測定が実施できるようにすることができるのである。
【００８７】
したがって、生体情報測定器として、広く活用が期待されるものである。
【符号の説明】
【００８８】
１  本体ケース
２  血糖値センサ（生体情報測定センサの一例）
３  センサ装着部
４  表示部
５  電源スイッチ
６  測定部
７  制御部
８  電池
９  ＲＯＭ（第１の記憶部）
１０  ＲＡＭ（第２の記憶部）
１１  ＲＡＭ確認用記憶部（第３の記憶部）
１２  タイマ
Ｒ１  比較処理用データ領域
Ｒ２  データ待避用領域
Ｒ３  チェックアドレス記憶領域
【図１】
2013250221.tif 000003
【図２】
2013250221.tif 000004
【図３】
2013250221.tif 000005
【図４】
2013250221.tif 000006
【図５】
2013250221.tif 000007
【図６】
2013250221.tif 000008
【図７】
2013250221.tif 000009